(57)【要約】【課題】被介護者の転倒を正確に検出又は予測し、転倒の位置と被介護者が誰であるかを迅速に介護者に通知することを可能とする技術を提供する。【解決手段】被介護者の転倒を検出又は予測するための転倒管理サーバに、被介護者の歩行状態を検知する検知センサと、ＲＦＩＤタグとを備えた履物から発信されるＩＤ情報を、ＲＦＩＤ基地局を介して受信する受信手段と、受信した前記ＩＤ情報に基づき、一対の履物が、ある被介護者が使用しているものであることを識別する識別手段と、前記識別手段により識別された前記被介護者の一対の履物のＩＤ情報に基づき、当該被介護者の転倒を検出又は予測する転倒管理手段とを備える。【選択図】  図１
2006228024.tif 000002
【特許請求の範囲】
【請求項１】
被介護者の転倒を検出又は予測するための転倒管理サーバであって、
被介護者の歩行状態を検知する検知センサと、ＲＦＩＤタグとを備えた履物から発信されるＩＤ情報を、ＲＦＩＤ基地局を介して受信する受信手段と、
受信した前記ＩＤ情報に基づき、一対の履物が、ある被介護者が使用しているものであることを識別する識別手段と、
前記識別手段により識別された前記被介護者の一対の履物のＩＤ情報に基づき、当該被介護者の転倒を検出又は予測する転倒管理手段と
を有することを特徴とする転倒管理サーバ。
【請求項２】
前記識別手段は、前記ＩＤ情報とともに受信する前記ＲＦＩＤ基地局のＩＤに基づき、所定の期間以上、共通のＲＦＩＤ基地局配下にある複数の履物を識別し、その複数の履物の中から前記一対の履物を識別する請求項１に記載の転倒管理サーバ。
【請求項３】
前記識別手段は、個々の履物のＩＤ情報の変化のパターンから、歩行のパターンを示している一対の履物を識別する請求項１又は２に記載の転倒管理サーバ。
【請求項４】
前記転倒管理手段は、前記ＩＤ情報の変化のパターンを、基準となるパターンと比較することにより、前記被介護者の転倒を検出又は予測する請求項１に記載の転倒管理サーバ。
【請求項５】
前記転倒管理手段は、前記ＩＤ情報の変化のパターンの周期に変化が生じた場合に、前記被介護者が転倒もしくは転倒しそうであることを検出する請求項１に記載の転倒管理サーバ。
【請求項６】
前記検知センサは、圧力センサ、又は傾斜を検知するセンサである請求項１ないし５のうちいずれか１項に記載の転倒管理サーバ。
【請求項７】
前記転倒管理手段により、前記被介護者の転倒が検出又は予測された場合に、介護者への通知手段に対して通知を行う手段を更に有する請求項１ないし６のうちいずれか１項に記載の転倒管理サーバ。
【請求項８】
被介護者の転倒を検出又は予測するための転倒管理サーバとしての機能をコンピュータに実現させるプログラムであって、前記コンピュータを、
被介護者の歩行状態を検知する検知センサと、ＲＦＩＤタグとを備えた履物から発信されるＩＤ情報を、ＲＦＩＤ基地局を介して受信する受信手段、
受信した前記ＩＤ情報に基づき、一対の履物が、ある被介護者が使用しているものであることを識別する識別手段、
前記識別手段により識別された前記被介護者の一対の履物のＩＤ情報に基づき、当該被介護者の転倒を検出又は予測する転倒管理手段、
として機能させることを特徴とするプログラム。
【請求項９】
利用者の歩行状態を検知する検知センサと、ＲＦＩＤタグとを備えた履物であって、
前記検知センサが出力するセンサ情報に応じて、前記ＲＦＩＤタグからＩＤを送信するか否かを制御する制御手段、又は、前記検知センサが出力するセンサ情報に応じて、前記ＲＦＩＤタグから送信するＩＤを変更する変更手段を有することを特徴とする履物。
【請求項１０】
前記検知センサは、圧力センサ、又は傾斜を検知するセンサである請求項９に記載の履物。
【発明の詳細な説明】
【技術分野】
【０００１】
本発明は、被介護者が転倒したことを自動的に検知するための技術に関するものである。
【背景技術】
【０００２】
高齢者や病院の患者等の被介護者が転倒した場合、大きな事故になる可能性があるため、被介護者が転倒したことを自動的に検知し、看護師等の介護者に通知する技術が従来から提案されている。
【０００３】
被介護者の転倒等を自動的に検知する従来技術として、例えば特許文献１〜４に開示された技術がある。
【０００４】
特許文献１に開示された技術は、カメラで撮影した映像と、人体が存在するときに撮影された参照画像とを比較して、差分に基づき人体の転倒動作を検知するものである。特許文献２に開示された技術は、FＧ視覚センサを用いて取得した輝点画像と基準となる輝点画像とを比較して、人物の姿勢を判別するものである。また、特許文献３に開示された技術は、加速度センサ等によって検出した人体の姿勢と、携帯端末等により検出した人体の位置とから、対象者の行動が異常か否かを判別するものである。また、特許文献４に開示された技術は、カメラでの撮像結果から、人体の移動を検知するものである。
【特許文献１】特開２０００−２０７６６４号公報
【特許文献２】特開２００１−２８０８６号公報
【特許文献３】特開２００１−１０１５４７号公報
【特許文献４】特開２００１−３０７２４６号公報
【発明の開示】
【発明が解決しようとする課題】
【０００５】
しかしながら、特許文献１、２、４に開示された技術のように、カメラを用いて異常を検知する場合、被介護者の転倒が予測される全ての場所にカメラを設置する必要があり、システムも高価で高コストとなる上、正確に転倒を検出することは困難であるという問題がある。また、転倒を検出しても、その被介護者が誰であるか判断することは出来ないという問題もある。
【０００６】
特許文献３の技術では、携帯端末を用いることにより、被介護者の位置とそれが誰であるかを識別することは可能であるが、転倒を正確に検出することは困難であり、システムも高価である。
【０００７】
本発明は上記の点に鑑みてなされたものであり、被介護者の転倒を正確に検出又は予測し、転倒の位置と被介護者が誰であるかを迅速に介護者に通知することを可能とする技術を提供することを目的とする。
【課題を解決するための手段】
【０００８】
上記の課題は、被介護者の転倒を検出又は予測するための転倒管理サーバであって、被介護者の歩行状態を検知する検知センサと、ＲＦＩＤタグとを備えた履物から発信されるＩＤ情報を、ＲＦＩＤ基地局を介して受信する受信手段と、受信した前記ＩＤ情報に基づき、一対の履物が、ある被介護者が使用しているものであることを識別する識別手段と、前記識別手段により識別された前記被介護者の一対の履物のＩＤ情報に基づき、当該被介護者の転倒を検出又は予測する転倒管理手段とを有することを特徴とする転倒管理サーバにより解決することができる。
【０００９】
前記識別手段は、前記ＩＤ情報とともに受信する前記ＲＦＩＤ基地局のＩＤに基づき、所定の期間以上、共通のＲＦＩＤ基地局配下にある複数の履物を識別し、その複数の履物の中から前記一対の履物を識別するように構成することができる。
【００１０】
また、前記識別手段は、個々の履物のＩＤ情報の変化のパターンから、歩行のパターンを示している一対の履物を識別するように構成してもよい。
【００１１】
前記転倒管理手段は、前記ＩＤ情報の変化のパターンを、基準となるパターンと比較することにより、前記被介護者の転倒を検出又は予測する。また、前記転倒管理手段は、前記ＩＤ情報の変化のパターンの周期に変化が生じた場合に、前記被介護者が転倒もしくは転倒しそうであることを検出するように構成してもよい。なお、前記検知センサは、例えば  圧力センサ、又は傾斜を検知するセンサである。
【００１２】
前記転倒管理サーバは更に、前記転倒管理手段により、前記被介護者の転倒が検出又は予測された場合に、介護者への通知手段に対して通知を行う手段を有してもよい。
【００１３】
また、本発明は、コンピュータを、転倒検知サーバの各手段として機能させるプログラムとして構成してもよい。
【００１４】
また、本発明は、利用者の歩行状態を検知する検知センサと、ＲＦＩＤタグとを備えた履物であって、前記検知センサが出力するセンサ情報に応じて、前記ＲＦＩＤタグからＩＤを送信するか否かを制御する制御手段、又は、前記検知センサが出力するセンサ情報に応じて、前記ＲＦＩＤタグから送信するＩＤを変更する変更手段を有することを特徴とする履物として構成することもできる。
【発明の効果】
【００１５】
本発明によれば、履物に被介護者の歩行状態を検知する検知センサと、ＲＦＩＤタグとを備え、履物から発信されるＩＤ情報に基づき、介護者の転倒を検出又は予測することとしたので、被介護者の歩行状態を直接検知でき、カメラ映像等を用いる従来技術と比較して、被介護者の転倒等を正確に検出又は予測できる。また、ＲＦＩＤのＩＤ情報を用いるので、転倒の位置と被介護者が誰であるかを迅速に介護者に通知することが可能となる。
【発明を実施するための最良の形態】
【００１６】
以下、図面を参照して本発明の実施の形態について説明する。本実施の形態では、病院における患者の転倒を検知する場合を例にとっているが、本発明は、患者等の被介護者の転倒を検知することを必要とするどのような場所でも適用可能である。なお、本明細書及び特許請求の範囲において、“転倒”とは、転落、及び、被介護者の歩行又は走行時の異常全般を含むものとする。
【００１７】
（システム概要）
図１は、本実施の形態に係るシステムの全体構成を示す図である。図１の示すように、本実施の形態のシステムは、所定の距離間隔で設置されたＲＦＩＤ基地局１（ＲＦＩＤリーダ）、転倒管理サーバ３、及び院内ＰＨＳ管理サーバ５を有しており、ＲＦＩＤ基地局１、院内ＰＨＳ管理サーバ５、及び転倒管理サーバ３は、それぞれ院内ＬＡＮ７に接続され、互いに通信が可能となっている。
【００１８】
また、転倒の危険がある患者が履くスリッパ９には、歩行状態検知用センサ９１と、歩行状態検知用センサ９１からの信号に応じてＩＤを発信するＲＦＩＤタグ９２とが取り付けられている。更に、患者の介護者である看護師は、ＰＨＳ電話機１１を所持しているものとする。なお、歩行状態検知用センサ９１の詳細については後述する。
【００１９】
上記のシステムにおいては、ＲＦＩＤタグ９２から発信されたＩＤ情報がＲＦＩＤ基地局１を介して転倒管理サーバ３に送信され、転倒管理サーバ３が、転倒を検知もしくは予測した場合に、院内ＰＨＳ管理サーバ５に通知を行って、院内ＰＨＳ管理サーバ５からＰＨＳ電話機１１への連絡がなされる。
【００２０】
図２に、転倒管理サーバ３の機能構成を示す。図２に示すように、転倒管理サーバ３は、ＲＦＩＤタグのＩＤ情報に基づき転倒を検出する転倒検出部３１、ＲＦＩＤタグのＩＤ情報を歩行情報として記憶装置に蓄積する歩行情報蓄積部３２、歩行情報に基づき転倒を予測する転倒予測部３３、患者の位置を特定する患者位置特定部３４、及びスリッパ管理部３５を有している。これらの機能部は、転倒管理サーバ３を実現するコンピュータに、各機能部に対応する処理機能を有するプログラムを実行させることにより実現する。
【００２１】
図３に、院内ＰＨＳ管理サーバ５の機能構成を示す。図３に示すように、院内ＰＨＳ管理サーバ５は、看護師用ＰＨＳ呼び出し部５１と、看護師用ＰＨＳメール送信部５２とを有している。これらの機能部は、院内ＰＨＳ管理サーバ５を実現するコンピュータに、各機能部に対応する処理機能を有するプログラムを実行させることにより実現する。
【００２２】
（システム全体動作概要）
次に、図４、５のフローチャートを参照し、システムの動作概要について患者の動作と対応させて説明する。
【００２３】
図４は、転倒を検出したときに通知を行う場合のフローチャートである。患者が歩行を開始すると（ステップ１）、スリッパ９に取り付けられている圧力センサ等からの信号に対応したＩＤ情報がＲＦＩＤ基地局１を介して転倒管理サーバ３に送信され、転倒管理サーバ３ではＩＤ情報を受信することにより、歩行を検出する（ステップ２）。また、患者が転倒をすると（ステップ３）、転倒管理サーバ３は、ＩＤ情報の変化から転倒を検出する（ステップ４）。そして、転倒時におけるＩＤ情報の送信元のＲＦＩＤ基地局のＩＤに基づき、転倒した患者の位置を特定し（ステップ５）、院内ＰＨＳ管理サーバ５に通知を行い、院内ＰＨＳ管理サーバ５が、例えばその転倒位置に近い場所の看護師のＰＨＳに通知を行う（ステップ６）。
【００２４】
図５は、転倒を予測したときに通知を行う場合のフローチャートである。転倒管理サーバ３では、歩行を検出するとともに（ステップ１１、１２）、ＩＤ情報を歩行情報として記憶装置に蓄積する（ステップ１３、１４）。そして、蓄積した所定時間長の歩行パターンと、転倒予測のための基準となる歩行パターンとを比較することにより、歩行パターンが正常か否かを判断する（ステップ１５）。転倒管理サーバ３では、歩行パターンが異常であって、転倒の前兆を示していると判断した場合には、患者に通知するとともに（ステップ１６）、看護師への通知を行う（ステップ１７）。なお、図５の例では、患者もＰＨＳ電話機を所持しているものとする。
【００２５】
以下、システムの構成、処理内容についてより詳細に説明する。
【００２６】
（スリッパについて）
図１に示したとおり、スリッパには歩行状態検知用センサとＲＦＩＤタグとが取り付けられる。歩行状態検知用センサとしては、市販されている圧力センサ（圧力−抵抗値変換型センサ、加圧導電性ゴムを利用した感圧スイッチ等）、転倒検知スイッチ、傾斜センサ、傾斜スイッチ等を利用することができる。
【００２７】
歩行状態検知用センサは、ＲＦＩＤタグに圧力や傾斜等に応じた信号を送出するためのセンサ回路を含むものである。また、ＲＦＩＤタグは、ＲＦＩＤ基地局１にＩＤを送出するという基本機能に加えて、歩行状態検知用センサからの信号に基づき送信するＩＤを変化させる機能、もしくは、歩行状態検知用センサからの信号に基づきＩＤを送出するかしないかを決定する機能を有している。
【００２８】
これらの機能は、ロジック回路を用いて実現したり、小型のコンピュータ及びプログラムを用いて実現することが可能である。また、ＲＦＩＤタグとは別の装置として上記のロジック回路もしくは小型コンピュータをスリッパ内に備えてもよいが、以下では、ＲＦＩＤタグ内に上記のロジック回路もしくは小型コンピュータが含まれているものとして説明を行う。
【００２９】
歩行状態検知用センサとして圧力センサを用いる場合、当該圧力センサは、患者の体重によってスリッパにかかる圧力を検出する。そして、圧力センサから圧力に係る信号を取得するＲＦＩＤタグは、例えば、圧力がかかっていることを示す信号を検出した場合に、固有のＩＤを発信し、圧力がかかっていることを示す信号を検出しない場合には、何も発信しない。また、圧力がかかっているかいないかによって、ＲＦＩＤタグが異なるＩＤを発信するようにしてもよい。例えば、圧力がかかっている場合に、ＩＤ：ｘｘｘｘｘ１を送信し、圧力がかかっていない場合には、ＩＤ：ｘｘｘｘｘ２を送信する。なお、ｘｘｘｘｘの部分は当該ＲＦＩＤタグ（すなわち片方のスリッパ）に固有の値とする。
【００３０】
上記のように、スリッパに圧力がかかっているかいないかを識別できるＩＤ情報をＲＦＩＤタグが送出することにより、転倒管理サーバ３側では、当該スリッパに体重がかかっている状態か、体重がかかっていない（スリッパが地面から離れている）かを識別することができ、結果として歩行を検出できる。なお、圧力センサの感圧部分は、例えば、スリッパの患者のかかとが当たる部分に配置する。また、高感度の圧力センサをスリッパの裏（地面と接触する部分）に取り付け、スリッパの接地、非接地を直接検出してもよい。
【００３１】
また、スリッパの接地時間、もしくは、圧力がかかっている時間をＲＦＩＤタグが送出するＩＤに符号化し、当該ＩＤを送信することも可能である。例えば、接地時間が０．１秒であればＩＤ：ｘｘｘｘｘ００１、０．２秒であればＩＤ：ｘｘｘｘｘ００２、等とする。ここで、ｘｘｘｘｘは当該スリッパに固有の値である。この処理は、例えば、ＲＦＩＤタグに備えた小型コンピュータもしくはロジック回路がタイマーを備え、所定時間間隔で取得するセンサデータに基づき、接地時間もしくは圧力がかかっている時間を測定し、測定結果に応じて符号化を行うことにより実現できる。
【００３２】
傾斜センサ、スイッチ等の傾斜を検知するセンサを用いる場合、当該センサは、スリッパの水平面に対する所定の傾きを検知する。ＲＦＩＤタグは、所定の傾きよりも傾きが大きい（例えば、裏返しになった場合）場合のみＩＤを送出する。もしくは、所定の傾きより傾きが大きいか否かで異なるＩＤを送出する。これにより、歩行の状態を検出することが可能となる。
【００３３】
圧力センサと傾斜を検知するセンサとの両方をスリッパに搭載し、圧力センサでは歩行パターンに基づく転倒予測を行い、傾斜を検知するセンサでは、突然の転倒等を検知するようにしてもよい。
【００３４】
さて、ＲＦＩＤタグのロジック回路や小型コンピュータには電池により電力が供給される。スリッパの電池交換はできるだけ少ないことが望ましいので、電力の消費をできるだけ少なくして、電池の寿命を延ばすことが望ましい。そのために、電力消費の少ない歩行状態検知用センサの出力情報を用いて、ＲＦＩＤタグの回路の電源のＯＮ・ＯＦＦ制御を行う。
【００３５】
より具体的には、例えば、圧力センサが圧力を検知してから、センサ回路に備えたタイマーをリセットして起動し、予め定めた時間の間だけ、ＲＦＩＤタグに電力を供給するように構成する。従って、例えば、圧力センサが圧力を検知しない状態が上記予め定めた時間続けば、電力の供給は終了する。これにより、非歩行時にはＲＦＩＤタグのロジック回路やコンピュータに電力の供給がなされなくなるので、消費電力を削減することができる。
【００３６】
また、一般にＲＦＩＤタグは一定周期でＩＤを送信するが、一定周期ではなく、必要なときにのみＩＤを送信するようにしてもよい。例えば、センサ情報に変化があったときのみＩＤを発信する。これにより、消費電力を削減することができる。
【００３７】
（転倒検出方法）
次に、上記のスリッパから送出されるＩＤ情報に基づき、転倒管理サーバ３の転倒検出部３１が転倒を検出する方法について説明する。
【００３８】
転倒は歩行パターン等に基づき判断されるが、歩行パターンを把握するには、ある患者の履いているスリッパの両足のペアを認識する必要がある。患者とスリッパが対応付けられていて、患者が常に同じスリッパのペアを使用する場合には、図６に示すようなテーブルを転倒管理サーバ３がその記憶装置に格納しておくことにより、転倒管理サーバ３は、受信するＲＦＩＤタグのＩＤ情報からスリッパのペアと患者を特定することができる。
【００３９】
なお、図６におけるスリッパのＩＤは、ＲＦＩＤタグが１つのＩＤを送出する場合にはそのＩＤであり、ＲＦＩＤタグがｘｘｘｘｘ１、ｘｘｘｘｘ２等の複数のＩＤを送出する場合には、ＲＦＩＤタグに固有のｘｘｘｘｘの部分である。なお、以下の説明では、ＲＦＩＤタグが送信するものをＩＤと呼び、ＲＦＩＤタグに固有の識別情報（ＩＤそのものや、ｘｘｘｘｘの部分）を識別情報と呼ぶ場合がある。
【００４０】
患者とスリッパとの対応付けがなされておらず、患者が種々のスリッパを利用する可能性がある場合には、以下のようにしてスリッパのペアの認識を行う。
【００４１】
上述したように、各（１個の）スリッパには１つの識別情報が割り当てられ、転倒検知サーバ３が、スリッパの位置情報と受信したＩＤ情報とから、どのスリッパがペアで使用されているか認識する。
【００４２】
具体的には、例えば、転倒検知サーバ３のスリッパ管理部３５が、ＲＦＩＤ基地局１から送られるＲＦＩＤ基地局ＩＤと、ＲＦＩＤタグの識別情報とをメモリ上で図７に示すテーブルの形で管理する。すなわち、受信したＲＦＩＤタグの識別情報に対応付けて、その識別情報の送信元のＲＦＩＤ基地局のＩＤを一定の時間間隔で記録していく。そして、スリッパ管理部３５は、一定期間の間（例えば時刻１〜時刻３）、共通のＲＦＩＤ基地局から送られる２つの識別情報に対応するスリッパをペアであると判定する。すなわち、図７において、識別情報１、識別情報２のスリッパはペアであると判定する。
【００４３】
また、このような、一定期間の間に同じＲＦＩＤ基地局から送られるＩＤが３つ以上ある場合には、各ＩＤの送信／非送信のパターン、もしくは、各ＩＤの変更のパターンを比較してペアを求める。例えば、図８に示す送信／非送信のパターンの場合において、パターン１のＩＤとパターン２のＩＤとがペアであり、パターン３、４のＩＤがペアであることを判別できる。また、図７に示したテーブルでの判定を行わずに、ＩＤのパターンのみからペアを求めるようにしてもよい。
【００４４】
転倒管理サーバ３の転倒検出部３１は、上記の処理によってペアであると判定されたペアの時系列パターンに基づき転倒検出を行う。転倒検出の一例を図９を用いて説明する。図９の例では、時刻Ａまでは、ペアのうちの片方のスリッパ１が接地しているときはもう一方のスリッパ２は非接地であり、スリッパ２が非接地であるときはスリッパ１は接地していることが示されている。更に、時刻Ａの後、時刻Ｂまでの間、スリッパ１、スリッパ２ともに接地し、時刻Ｂの後、スリッパ１、スリッパ２ともに非接地であることが示されている。
【００４５】
時刻Ａまでのパターンは、患者が正常に歩行していると考えられるので、転倒検出部３１は、時刻Ａまでのパターンの間は転倒であるとは判断しない。しかし、時刻Ａ以降は、正常の歩行状態では見られないパターンであるので、転倒検出部３１は転倒であると判定する。
【００４６】
すなわち、転倒検出部３１は、所定時間間隔で受信する、ペアと判定されたスリッパの各々のＩＤについて、そのＩＤの状態（送信／非送信、接地用ＩＤ／非接地用ＩＤ、等）を、ＩＤを受信した都度把握し、送信／非送信もしくは接地用ＩＤ／非接地用ＩＤ等の切り替えが２つのスリッパで交互に行われているか否かをチェックする。そして、時刻Ａ以降の場合のように、送信／非送信もしくは接地用ＩＤ／非接地用ＩＤが各々のスリッパで交互に現れなくなった時点（もしくは、その時点から所定時間経過しても異常である場合における、その所定時間経過時点）で、転倒と判定する。
【００４７】
上記のように、ＩＤ受信毎にＩＤをチェックして判定を行う方法の他、予め定めた期間のＩＤのペアのパターンと、予め転倒管理サーバ３の記憶装置に格納しておいた基準となるパターンとを比較して、転倒を検知してもよい。この場合、例えば、正常な歩行のパターンを基準のパターンとし、この基準のパターンとのずれ（例えば上記期間でのずれの積分値）が、予め定めた閾値よりも大きい場合に歩行が異常であると判定する。
【００４８】
また、基準のパターンとして、実際に転倒をしてみて収集したパターンを用いたり、過去の転倒時に収集されたパターンを用いることもできる。この場合、検出対象のパターンと、基準のパターンとのずれが所定の閾値以内であれば転倒と判定する。また、パターン比較に、ＡＲモデル等の時系列データ解析手法を用いることもできる。
【００４９】
（転倒予測方法）
転倒管理サーバの転倒予測部３３による転倒予測についても、上記のパターン比較により行うことができる。すなわち、過去の歩行パターンと現在の歩行パターンとを比較することで、患者の転倒を、転倒が発生する前に予測する。例えば、患者の転倒シミュレーションを行って、転倒の前兆となるパターンを取得して、基準パターンとする。また、過去の転倒時の前兆となったパターンデータを基準データとして用いることもできる。
【００５０】
また、パターン比較で転倒予測を行う他、ペアのＩＤ情報の各々の接地周期を監視し、いずれかのスリッパの接地周期が乱れた場合（一定でなくなった場合）に、転倒の危険があると判定するようにしてもよい。
【００５１】
また、患者の投薬時間等の治療情報を、患者識別情報とともに転倒管理サーバ３に蓄積し、例えば、ある患者に対する転倒予測において、投薬時間前であれば、閾値を下げて、少しの異常でも異常であると判定することにより、異常予測の精度を向上させることが可能となる。
【００５２】
（通知方法）
転倒検出もしくは転倒予測した場合には、患者位置特定部３４が、記憶装置に格納された図１０に示すようなテーブルを参照することにより、転倒検出もしくは転倒予測されたスリッパのＩＤ送信元のＲＦＩＤ基地局のＩＤから患者の位置を特定する。そして、転倒検出部３１もしくは転倒予測部３３が、その位置と転倒検出もしくは転倒予測された旨の情報とを院内ＰＨＳ管理サーバ５に通知する。また、スリッパと患者とが対応付けられており、ＲＦＩＤタグＩＤから患者を特定できる場合には、患者の特定情報も院内ＰＨＳ管理サーバ５に通知する。
【００５３】
院内ＰＨＳ管理サーバ５は、上記の位置の情報等に基づき、適切な看護師のＰＨＳを呼び出す。また、メール送信をしてもよい。また、転倒予測の場合であって、患者が特定できる場合には、その患者自身のＰＨＳも呼び出して注意を与える。なお、院内の危険箇所にスピーカと表示装置を設置することで、患者に警告を行うようにしてもよい。
【００５４】
（本システムの効果について）
上記のように、本実施の形態のシステムでは、スリッパのペアが頻繁に変わるような場合でも、同じ患者が使用している事を判別でき、患者が転倒等した場合、そのことを速やかに検知し、患者の位置を特定、それらの情報を看護師に緊急通知することで、転倒転落による障害を最小限にとどめることが出来る。また、患者の異常が予測された場合、患者や看護師に警告を送ることで、転倒等の異常を事前に防ぐことが出来る。
【００５５】
また、本実施の形態のシステムでは、ＲＦＩＤを用いてＩＤ情報の通知を行うので、病院内で物品管理等に使用しているＲＦＩＤシステムとインフラを共有でき、システム構築コストを削減できる。また、スリッパにＲＦＩＤを搭載することで、患者が意識することなく患者に位置把握のための装置を持たせることができるという利点がある。
【００５６】
本発明は、上記の実施の形態に限定されることなく、特許請求の範囲内で種々変更・応用が可能である。
【図面の簡単な説明】
【００５７】
【図１】本発明の実施の形態に係るシステムの全体構成を示す図である。
【図２】転倒管理サーバの機能構成を示す図である。
【図３】院内ＰＨＳ管理サーバの機能構成を示す図である。
【図４】システムの動作概要を説明するためのフローチャートである。
【図５】システムの動作概要を説明するためのフローチャートである。
【図６】転倒管理サーバが格納するテーブルの例を示す図である。
【図７】転倒管理サーバが格納するテーブルの例を示す図である。
【図８】ＩＤ情報のパターンの例を示す図である。
【図９】転倒検出方法の例を説明するための図である。
【図１０】転倒管理サーバが格納するテーブルの例を示す図である。
【符号の説明】
【００５８】
１  ＲＦＩＤ基地局
３  転倒管理サーバ
５  院内ＰＨＳ管理サーバ
７  院内ＬＡＮ
９  スリッパ
３１  転倒検出部
３２  歩行情報蓄積部
３３  転倒予測部
３４  患者位置特定部
５１  看護師用ＰＨＳ呼び出し部
５２  看護師用ＰＨＳメール送信部
９１  歩行状態検知用センサ
９２  ＲＦＩＤタグ
【図１】
2006228024.tif 000003
【図２】
2006228024.tif 000004
【図３】
2006228024.tif 000005
【図４】
2006228024.tif 000006
【図５】
2006228024.tif 000007
【図６】
2006228024.tif 000008
【図７】
2006228024.tif 000009
【図８】
2006228024.tif 000010
【図９】
2006228024.tif 000011
【図１０】
2006228024.tif 000012